(57)【特許請求の範囲】
【請求項１】
透明な容器本体と不透明な上蓋とで構成される容器と、この容器に収納可能な大きさにして一面が開口した立方体形状であって磁石に吸着可能な擬似ダイスと、擬似ダイスに収容可能とされる大きさとされた１個又は複数個の小物体と、前記上蓋よりも小さく且つ磁石を備えた平板状の小板とで構成され、前記上蓋の内面には、前記小板の周縁に接して小板を挟持する複数の突起を備えていることを特徴とする手品具。
【請求項２】
前記擬似ダイスは、磁性体の薄板で形成されていることを特徴とする請求項１に記載した手品具。
【請求項３】
前記擬似ダイスは、合成樹脂で形成されて内側面に磁性体の薄板を備えていることを特徴とする請求項１に記載した手品具。
【請求項４】
透明な容器本体と不透明な上蓋とで構成される容器と、この容器に収納可能な大きさにして一面が開口した立方体形状であって磁石を内蔵した擬似ダイスと、擬似ダイスに収容可能とされる大きさとされた１個又は複数個の小物体と、前記上蓋よりも小さく且つ磁石に吸着可能な平板状の小板とで構成され、前記上蓋の内面には、前記小板の周縁に接して小板を挟持する複数の突起を備えていることを特徴とする手品具。
【請求項５】
前記小物体は、前記擬似ダイスよりも僅かに小さく、擬似ダイスと異なる着色が施されていることを特徴とする請求項１乃至請求項４の何れかに記載した手品具。
【請求項６】
前記小板と上蓋内面とを同一色としていることを特徴とする請求項１乃至請求項５の何れかに記載した手品具。
【請求項７】
前記上蓋は、天板部に段部を有して天板部の中央を高くし、天板部周縁にテーパー部を有していることを特徴とする請求項１乃至請求項６の何れかに記載した手品具。
【発明の詳細な説明】
【技術分野】
【０００１】
本発明は、手品具に関する。
【背景技術】
【０００２】
昨今、手品ブームによりテレビ番組などで様々な手品が取り上げられている。又、安価で容易に実行可能な手品具が多く売り出されており、特許登録や実用新案登録もなされている。その中でも物体出現マジックや物体消滅マジック、物体変化マジックなどは人気のあるマジックである。その中でよく使われるのが磁石を用いたマジックである。
【０００３】
例えば実公昭４６−３０２３６号公報（特許文献１）では、２つの茶碗があり、そのうちの１つの茶碗の外底面にヘリ部を有し、当該ヘリ部に磁石を仕掛け、磁石を仕掛けた茶碗の底に２つの鈴を吸着させておき、もう１方の茶碗の内部にも２つの鈴を入れておき、磁石を仕掛けた茶碗を上にし、もう１方の茶碗を下にして開口部をそろえて重ねて上下に振ると、磁石を仕掛けていないほうの茶碗内の２つの鈴が、磁石を仕掛けた茶碗の磁石に吸着するため、磁石を仕掛けていないほうの茶碗内の２つの鈴が観客にはまるで消えたようになり、今度は磁石を外すと４つの鈴が出現し、観客にはまるで鈴が増えたかのように感じるマジックについての考案がなされている。
【０００４】
しかし、このようなマジックは外側に仕掛けがあるため、観客に茶碗をじっくり見せることはできず、又磁石をはずすのに鍛錬を要するなどの問題点があった。
【特許文献１】実公昭４６−３０２３６号公報
【発明の開示】
【発明が解決しようとする課題】
【０００５】
本発明は、上述したような従来技術の問題点に鑑みてなされたものであり、素人でも容易に実技可能で、且つ手品終了後に手品具をじっくり観客に見せてもタネがわからない、磁石を用いた手品具を提供することを目的としている。
【課題を解決するための手段】
【０００６】
請求項１の発明の手品具は、透明な容器本体（２）と不透明な上蓋（３）とで構成される容器（１）と、この容器（１）に収納可能な大きさにして一面が開口した立方体形状であって磁石に吸着可能な擬似ダイス（４）と、擬似ダイス（４）に収容可能とされる大きさとされた１個又は複数個の小物体と、前記上蓋（３）よりも小さく且つ磁石（１７）を備えた平板状の小板（６）とで構成され、前記上蓋（３）の内面には、前記小板（６）の周縁に接して小板を挟持する複数の突起（１２）を備えていることを特徴とするものである。
【０００７】
請求項１によれば、磁石（１７）を備えた小板（６）を上蓋（３）から容易に取り外すことが可能となる。
【０００８】
請求項２の発明は、請求項１に記載した手品具において、前記擬似ダイス（４）は、磁性体（７）の薄板で形成されていることを特徴とするものである。
【０００９】
請求項３の発明は、請求項１に記載した手品具において、前記擬似ダイスは、合成樹脂で形成されて内側面に磁性体（７）の薄板を備えていることを特徴とするものである。
【００１０】
請求項３によれば、擬似ダイス（４）を軽くすることが可能となる。
【００１１】
請求項４の発明の手品具は、透明な容器本体（２）と不透明な上蓋（３）とで構成される容器（１）と、この容器（１）に収納可能な大きさにして一面が開口した立方体形状であって磁石（１７）を内蔵した擬似ダイス（４）と、擬似ダイス（４）に収容可能とされる大きさとされた１個又は複数個の小物体と、前記上蓋（３）よりも小さく且つ磁石（１７）に吸着可能な平板状の小板（６）とで構成され、前記上蓋（３）の内面には、前記小板（６）の周縁に接して小板を挟持する複数の突起（１２）を備えていることを特徴とするものである。
【００１２】
請求項４によれば、小板（６）を上蓋（３）から容易に取り外すことが可能となる。
【００１３】
請求項５の発明は、請求項１乃至請求項４の何れかに記載した手品具において、前記小物体は、前記擬似ダイス（４）よりも僅かに小さく、擬似ダイス（４）と異なる着色が施されていることを特徴とする請求項１乃至請求項４の何れかに記載した手品具。
【００１４】
請求項５によれば、小物体として擬似ダイス（４）と異なる色の僅かに小さな物体としているため、擬似ダイス（４）が色の異なる同一の大きさの物体に変化したように見せることが可能となる。
【００１５】
請求項６の発明は、請求項１乃至請求項５の何れかに記載した手品具において、前記小板（６）と上蓋（３）内面とを同一色としていることを特徴とする。
【００１６】
請求項６によれば、上蓋（３）の天板部の裏側に挟持されている小板（６）を目立たせないことが可能となる。
【００１７】
請求項７の発明は、請求項１乃至請求項６の何れかに記載した手品具において、前記上蓋（３）は、天板部に段部（１３）を有して天板部の中央を高くし、天板部周縁にテーパー部（１４）を有していることを特徴とする。
【００１８】
請求項７によれば、上蓋（３）の高さを実際の高さより低く見せることが可能となる。
【発明の効果】
【００１９】
本発明によれば、上蓋から磁性体を備える小板を指先で容易に取り外すことができ、又手品をした後に容器や上蓋をじっくり観客に見せることも可能な手品具を提供できる。
【００２０】
又本発明によれば、擬似ダイス全体を金属で加工する必要がなくなり、重量が軽い手品具を提供できる。
【００２１】
更に本発明によれば、上蓋に段差とテーパー部を要するため、上蓋を薄く見せることができ、一層不可思議さを観客に感じさせる手品具を提供できる。
【発明を実施するための最良の形態】
【００２２】
本発明の手品具は、透明な容器本体２と不透明な上蓋３とで構成される容器１と、この容器１に収納可能な大きさで一面が開口した立方体形状であって、内部側に磁性体７を有し磁石１７に吸着可能な擬似ダイス４と、擬似ダイス４に収容可能とされる大きさの小物体と、上蓋３よりも小さく且つ磁石１７を備えた平板状の小板６とで構成され、上蓋３の内面には小板６の周縁に接して小板６を挟持する複数の突起１２を備えている。
【００２３】
従って、容器１内に小物体を収納した擬似ダイス４を入れて上蓋３を被せ、容器１を振ると擬似ダイス４を上蓋３の内面に吸着させて擬似ダイス４が小物体に変化したように見せることができ、上蓋３の天板部を押圧１５すると、天板部がたわみ、小板６の周縁と上蓋３の内面の複数の突起１２の間に隙間１６ができ、これにより小板６を上蓋３から指先で容易に取り外すことができ、磁力により吸着した擬似ダイス４を小板６と共に取り外して隠すことができる。
【実施例】
【００２４】
以下、本発明の実施例を図に基づいて詳説する。図１に示すように、本発明の１つの実施例の手品具は、透明な容器本体２と不透明な上蓋３とで構成される容器１と、容器１の内部に収納された擬似ダイス４とから構成される。擬似ダイス４には図示しないが小物体が隠されている。容器本体２の外形断面形状と上蓋３の内形断面形状は同一形状で、上蓋３は容器本体２に嵌脱自在である。
【００２５】
そして、図２、図３に示すように、上蓋３の内側には突起１２が３つ設けられており、この３つの突起１２で小板６を挟持する構造となっている。又、上蓋３は内部に擬似ダイス４を隠す必要があるため、擬似ダイス４の１辺の長さより上蓋３の高さが長く成形してある。本実施例では、上蓋３の高さを実際の高さよりも低く見せるために、上蓋３の天板部には段部１３を有して天板部の中央を高くし、天板部周縁にはテーパー部１４を設けている。これにより実際の高さより観客には低く見せることができる。
【００２６】
突起１２は、手品具を上下に振ったときでも小板６が落ちない程度の強度で挟持できるように、小板６の周縁部に軽く接する程度の間隔で複数設けている。小板６の周縁をすべて覆うことで挟持することも可能であるが、周縁をすべて覆ってしまうと上蓋３の上面をたわましても小板６と突起１２の間に隙間ができにくく小板６が落ちにくいため、本実施例では突起１２を複数設けている。
【００２７】
本実施例の小板６が上蓋３から落ちる機構は、図５（ａ）、（ｂ）に示すように上蓋３の天板部を指で押圧１５すると、上蓋３の上面がたわみ、小板６の周縁と突起１２との間に隙間１６ができ、これにより小板６が落下する。
【００２８】
本実施例の小板６は上蓋３の内部に取り付けても目立たないように薄く、且つ上蓋３の内側と同一色として成形してあり、素材も上蓋３と近いものを用いている。どのような色も、どのような素材をも用いることは可能であるが、観客が一目では気づかないものを用いるのがよい。小板６の下面には、図６に示すように中心に小さな小孔１８が設けられており、小孔１８に磁石１７が接着剤又は嵌め込む形で設置されている。尚、図６の（ｂ）では小孔１８と磁石１７の間に説明が容易なため隙間を設けているが、当然隙間が無くてもよい。
【００２９】
図７に示すように擬似ダイス４は１面が開口した立方体であり、開口部１９から小物体を投入できるようになっている。又、擬似ダイス４の上面部の内側には図８に示すように薄い磁性体７が取り付けられている。磁性体７は磁石１７に吸着する物質であればどのようなものを用いてもよい。
【００３０】
本実施例では小物体として収納ダイス５を用いており、更に８個の収納ダイス５を擬似ダイス４に挿入している。この数に限定するものではないが、なるべく擬似ダイス４の内表面と収納ダイス５の外表面間に隙間が無いのが好ましいため、８個の収納ダイス５を用いている。隙間があると擬似ダイス４の内部で小さなダイスが、擬似ダイス４の内面に当たって音を立ててしまい、仕掛けが気づかれてしまう恐れがあるからである。
【００３１】
そして、図１に示したように開口部１９を下に向けた擬似ダイス４を容器１に収納し、容器１を上下に振ると、擬似ダイス４の上面の裏側に取り付けられている磁性体７により磁石１７を備えた小板６に擬似ダイスが吸着し、上蓋３の上面を押圧して小板６を取り外すと、図９のように擬似ダイス４の上面に小板６が吸着したまま落下する。これにより上蓋３の内部には擬似ダイス４も小板６もなくなり、観客に上蓋３を見せることも可能となる。
【００３２】
尚、本実施例で使用した図面では容器本体２、上蓋３、小板４の断面が六角形の物を使用したが、円断面の物や他の多角形断面の物を用いてもよい。又、突起１２は３つ設けているがこの数に限定されるものではない。
【００３３】
次に本実施例の手品具の使用方法について説明する。まず準備段階についてであるが、図１０（ａ）に示すように、容器本体２と上蓋３と小板６と擬似ダイス４、更に複数個の収納ダイス５を用意し、図１０（ｂ）に示すように、上蓋３の上面の裏側に設けられている突起１２に小板６を嵌め込む。このとき、磁石１７が見えないよう、磁石１７が仕掛けられていない面である小板６の上面が見えるように嵌め込む。
【００３４】
そして、図１０（ｃ）に示すように擬似ダイス４の内部に複数個の収納ダイス５を投入し、図１０（ｄ）に示すように容器本体２の開口部が下に傾いた状態で、複数個の収納ダイス５が内部に投入された状態の擬似ダイス４を、擬似ダイス４の開口部１９が容器本体２の底面側に来るように容器本体２の開口部へ近づけ、図１０（ｅ）に示すように容器本体２の内側表面に擬似ダイス４を置き、開口部１９が容器本体２の底面に接するところまで指で押し込み、収納ダイス５が擬似ダイス４からこぼれ落ちないように、指で押さえたまま容器本体２の底面が水平になるまで容器本体２を起こす。このとき擬似ダイス４は６の目が上に来た状態であり、普通のダイスに見える。以上の作業は観客がいないところで行う。
【００３５】
次に手品具の実技方法について説明する。図１１（ａ）に示すように机の上に準備した容器本体２と開口部１９を上向きにした上蓋３を置き、図１１（ｂ）に示すように容器本体２を上蓋３で蓋をして容器１を手に持つ。このとき擬似ダイス４の開口部１９が見えないように注意し、又上蓋３の天板部を押すと小板６が落ちてしまうため、天板部を指で押さないように注意する。
【００３６】
図１１（ｃ）に示すように容器１を手に持ち、中の擬似ダイス４の６の目である上面が上蓋３の天板部に当たるように振り上げて戻す。そうすると、小板６に仕掛けてある磁石１７に擬似ダイス４に仕掛けてある磁性体７が吸着し、擬似ダイス４の内部に投入してあった複数個の収納ダイス５だけが容器本体２の内部に散乱する。これによりあたかも擬似ダイス４が複数個の収納ダイス５に変化したように見せることができる。次に図１１（ｄ）に示すように上蓋３を容器本体２から外して、机の上に容器本体２の内部に散乱していた収納ダイス５を出し、その間に図１１（ｅ）に示すように机の端で観客に見えないように上蓋３の上面を指で押圧して小板６をひざの上に落とし、すぐに机の上に上蓋３を置く。これにより観客は容器本体２や上蓋３を手に取って調べても仕掛けを見つけることはできない。
【００３７】
本実施例によれば、擬似ダイス４を金属で加工する必要がないため、容器１を軽くすることができ、上蓋３の天板部の内面の突起１２で小板６を挟持する強度が弱くても、小板６が落下する心配がほとんど無くなり、怪我などをすることもほとんど無くなる。また、磁石１７も磁力が弱い物を用いることができる。又、小板６を容易に取り外すことができるため、手品を終えた後容器本体２と上蓋３を観客に見せることができ、誰でも容易に実技可能である。
【００３８】
尚、本実施例では小板６に磁石１７を備えているが、小板６に磁性体を備え、又は小板６を磁性体で作成し、擬似ダイス４に取り付けている磁性体７を磁石に、又は擬似ダイス４を磁石で成形することでも同様の実技が可能である。
【００３９】
本発明のその他の実施例について説明する。本実施例では小物体として収納ダイス５を用いる変わりに擬似ダイス４とは着色が異なるダイスを用いることを特徴とする。本実施例では着色を赤とし、赤いダイス８を用いる。この赤いダイス８の大きさは擬似ダイス４より僅かに小さく、擬似ダイス４の内部に入る大きさである。
【００４０】
前述した擬似ダイス４を複数個の収納ダイス５に変化させた後、仕掛けである小板６を取り外し、容器１を片付ける振りをしながら擬似ダイス４の内部に赤いダイス８を投入して、容器本体２の内部に、赤いダイス８を内部に仕掛けてある擬似ダイス４を投入する。そして上蓋３に小板６をもう一度嵌め込み、図１２に示すように収納ダイス５の一つを赤い目である１の目を上にして机の上に置く。
【００４１】
そして、ダイスの１の目の上に容器１を持っていき、このダイスの赤い目を利用して手品を行うことを観客に口頭で述べて赤という色に注意を惹きつけ、上述した複数の収納ダイス５に変化させる手品と同様の手順で、容器本体２を振り上げてから戻す。これにより、容器本体２の内部には赤いダイスのみ８が残ることになる。このように擬似ダイス４と収納ダイス５とに異なる着色を施しておけば、まるで収納ダイス５の赤い目により擬似ダイス４の色が赤く変化したかのように見せることが可能となる。尚、本実施例では赤いダイス８を用いているが当然他の色のダイスを用いることもできる。
【００４２】
本発明の更に別の実施例について説明する。上述した実施例では、小物体として収納ダイス５や赤いダイス８を用いたが、ダイスの変わりに擬似ダイス４の内部に入る何か別の物を収納することを特徴とする。
【００４３】
例えば、小物体として角砂糖や小さな動物の人形等を擬似ダイス４に挿入しておき、容器本体２の内部にこの擬似ダイス４を投入する。上蓋３を容器本体２に被せ、容器１を上下に振ると上蓋３の内部の小板６に擬似ダイス４が吸着し、容器本体２の内部には角砂糖や小さな動物の人形等が残る。これにより、擬似ダイス４が角砂糖や小さな動物の人形等に変わったかのような手品が可能となる。また、この小物体は１個や８個に限るものでなくて２又は３個や４個など、形状や大きさに合わせて任意の複数個とすることができるものである。
【００４４】
以上のように、小物体として色々な物を用いることにより、手品として楽しめるのはもちろんのこと、小物体の種類によっては観客を笑わすことも可能である。また、観客の前で手品をするのではなく、誰かに指輪をプレゼントするときに、小物体を指輪にすれば一風変わったプレゼント方法としても用いることができる。
【図面の簡単な説明】
【００４５】
【図１】本発明の１つの実施例の手品具の斜視図。
【図２】本発明の１つの実施例の小板が取り付けられているときの上蓋の内部の説明図。
【図３】本発明の１つの実施例の小板が取り付けられていないときの上蓋の小板の説明図。
【図４】本発明の１つの実施例の上蓋の縦断面図。
【図５】本発明の１つの実施例の上蓋のたわみの説明図。
【図６】本発明の１つの実施例の小板の説明図。
【図７】本発明の１つの実施例の擬似ダイスの説明図。
【図８】本発明の１つの実施例の擬似ダイスの縦断面図。
【図９】本発明の１つの実施の形態の擬似ダイスと小板が吸着しているときの上面図。
【図１０】本発明の１つの実施例の手品具の準備方法の説明図。
【図１１】本発明の１つの実施例の手品具の実技方法の説明図。
【図１２】本発明の他の実施例の手品具の使用方法の説明図。
【符号の説明】
【００４６】
１  容器
２  容器本体
３  上蓋
４  擬似ダイス
５  収納ダイス
６  小板
７  磁性体
８  赤いダイス
１２  突起
１３  段部
１４  テーパー部
１５  押圧
１６  隙間
１７  磁石
１８  小孔
１９  開口部
【図１】
0004651097.tif 000002
【図２】
0004651097.tif 000003
【図３】
0004651097.tif 000004
【図４】
0004651097.tif 000005
【図５】
0004651097.tif 000006
【図６】
0004651097.tif 000007
【図７】
0004651097.tif 000008
【図８】
0004651097.tif 000009
【図９】
0004651097.tif 000010
【図１０】
0004651097.tif 000011
【図１１】
0004651097.tif 000012
【図１２】
0004651097.tif 000013